(57)【要約】【課題】冬場の寒冷地において、保冷庫で野菜を保温保存し、低温障害を防止する。【解決手段】内部に保冷室（２）の形成されている保冷庫（１）の前面開口部を左右開閉扉（３，３）により開閉可能に構成し、保冷庫（１）には、保冷室（２）冷却用の冷却装置（６）を設け、保冷室（２）内には断熱性材で周囲を被覆している保温室（１１）を設け、この保温室（１１）には室内を温めるヒータ（１２）を設けた保温室付き保冷庫とする。【選択図】図１
2010107158.tif 000002
【特許請求の範囲】
【請求項１】
内部に単一の保冷室（２）の形成されている保冷庫（１）の前面開口部を左右開閉扉（３，３）により開閉可能に構成し、保冷庫（１）には前記保冷室（２）冷却用の冷却装置（６）を設け、前記保冷室（２）内には断熱性材で周囲を被覆している保温室（１１）を設け、該保温室（１１）には室内を温める保温装置（１２）を設けたことを特徴とする保温室付き保冷庫。
【請求項２】
前記保冷室（２）の底部に前記保温室（１１）を配置し、前記保温室（１１）を断熱機能のある外側箱体（１１ａ）と、この外側箱体（１１ａ）の前面開口部から出し入れできる上面開放の引出型箱体（１１ｂ）とで構成し、該保温室（１１）の左右幅及び前後長さを保冷室（２）で保冷保存する穀粒袋（２１）の左右幅及び前後長さと略同じに構成し、前記保温室（１１）の上面を平坦面に構成して前記穀粒袋（２１）を載置可能に構成したことを特徴とする請求項１記載の保温室付き保冷庫。
【発明の詳細な説明】
【技術分野】
【０００１】
本発明は、保温室付き保冷庫に関する。
【背景技術】
【０００２】
断熱筐体で形成されたキャビネット本体の前面開口部に開閉扉を設け、このキャブネット本体上部には冷却装置、本体内部には貯蔵室を設けて貯蔵室内の被貯蔵物を低温状態で貯蔵する低温貯蔵庫において、貯蔵室を少なくとも２室に区切って各貯蔵室にそれぞれ開閉扉を設け、各貯蔵室の開閉扉にそれぞれ庫内温度調節部及び庫内温度表示部を設け、貯蔵庫の室内に穀類と野菜類とを異なる温度に設定して別々に貯蔵するようにしたものは、公知である。
【特許文献１】特開２００２−１３０８８８号公報
【発明の開示】
【発明が解決しようとする課題】
【０００３】
保冷庫は周囲の外気温度に影響されやすく、冬場の寒冷地では保冷庫室内の温度が低下し、特に野菜については低温障害を起し易い。
この発明は、穀粒及び野菜をそれぞれに適した温度で保冷保存し、前記欠点を解消しようとするものである。
【課題を解決するための手段】
【０００４】
請求項１の発明は、内部に単一の保冷室（２）の形成されている保冷庫（１）の前面開口部を左右開閉扉（３，３）により開閉可能に構成し、保冷庫（１）には前記保冷室（２）冷却用の冷却装置（６）を設け、前記保冷室（２）内には断熱性材で周囲を被覆している保温室（１１）を設け、該保温室（１１）には室内を温める保温装置（１２）を設けたことを特徴とする保温室付き保冷庫とする。
【０００５】
前記構成によると、夏場には保冷庫（１）の保冷室（２）を冷却装置（６）で所定温度に冷却しながら穀粒袋を収納保冷し、また、保温室（１１）には保温装置（１２）をＯＦＦにした状態で野菜を収納し、保冷室（２）の冷気を利用して野菜を収納保冷することができる。
【０００６】
また、冬場の寒冷地では、保冷室（２）で穀粒袋を収納保冷し、また、保温室（１１）の保温装置（１２）をＯＮにして野菜を収納し、保冷室（２）よりも暖かい温度で野菜を保冷保存することができる。
【０００７】
請求項２の発明は、前記保冷室（２）の底部に前記保温室（１１）を配置し、前記保温室（１１）を断熱機能のある外側箱体（１１ａ）と、この外側箱体（１１ａ）の前面開口部から出し入れできる上面開放の引出型箱体（１１ｂ）とで構成し、該保温室（１１）の左右幅及び前後長さを保冷室（２）で保冷保存する穀粒袋（２１）の左右幅及び前後長さと略同じに構成し、前記保温室（１１）の上面を平坦面に構成して前記穀粒袋（２１）を載置可能に構成したことを特徴とする請求項１記載の保温室付き保冷庫とする。
【０００８】
前記構成によると、請求項１の発明の前記作用に加えて、保冷室（２）の底部に設けている保温室（１１）の上方に穀粒袋（２１）を段積みすることができ、また、保温室（１１）の引出型箱体（１１ｂ）を出し入れすることにより、野菜の出し入れを容易に行なうことができる。
【発明の効果】
【０００９】
請求項１の発明は、夏場には保冷庫（１）の保冷室（２）に穀粒袋を収納し、保温室（１１）をＯＦＦにしても野菜を収納し保冷室（２）の冷気を利用して保冷保存することができる。また、冬場の寒冷地では、保冷室（２）に穀粒袋を収納して保冷保存し、保温室（１１）に野菜を収納して保冷室（２）よりも暖かい温度で野菜を保冷保存することで
、野菜の低温障害を防止しすることができる。
【００１０】
請求項２の発明は、請求項１の発明の前記効果に加えて、保冷室（２）内に穀粒袋（２１）及び保温室（１１）を無駄な空間をなくし有効に段積みすることができ、また、保温室（１１）の引出型箱体（１１ｂ）により、野菜の出し入れを容易に行なうことができる。
【発明を実施するための最良の形態】
【００１１】
以下、図面に示す本発明の実施の形態について説明する。まず、図１及び図２に示す保冷庫１の実施例について説明する。図１は保冷庫の前側を開放した正面図、図２は保冷庫の切断側面図である。
【００１２】
保冷庫１の内部には箱体からなる保冷室２を設けている。この保冷室２は、内側を発泡スチロール等の断熱材で被覆し、外側を鋼板等で被覆して強度を持たせた構成とし、保冷室２の前面を全面開放した開放部２とし、左右開閉扉３，３により開閉可能に構成している。保冷室２の上部には冷却装置６を設けている。保冷室２の底面にはすのこ３１を敷き、穀粒袋２１を例えば左右３列に積み重ね保冷保存する。
【００１３】
次に、図３に基づき冷却装置６について具体的に説明する。
本実施の形態の冷却装置の構成は保冷庫で広く用いられている公知の構成である。
基盤６ａの左右一側に圧縮器６ｂを配設し、基盤６ａの前側部に凝縮器６ｂを配置し、凝縮器６ｃと圧縮器６ｂとを配管６ｄにより接続している。凝縮器６ｃにより凝縮された冷媒をストレーナ６ｅ及び配管６ｆを経由して膨張弁６ｇに送り込む構成である。膨張弁６ｇは細い配管で構成されて、冷媒はここで減圧されて気化されやすい状態になり、膨張弁６ｇの端部を蒸発器６ｉに接続し、蒸発器６ｉで気化されるときに周囲の温度を下げ、このとき生じた冷気を保冷室２に送り込むようにしている。
【００１４】
基盤６ａの底面における蒸発器６ｉの左右両側には、吹出し口６ｊと吸込み口６ｋを設け、吹出し口６ｊを保冷室２の左右一側に向けて開口し、吸込み口６ｋを左右他側に向けて開口している。
【００１５】
また、符号ＳＥ１は蒸発器６ｉの温度を検知する蒸発器温度センサで、膨張弁６ｇと蒸発器６ｉとの接合部近傍に設けている。ＳＥ２は保冷室２内の温度を検知する庫内温度センサで、保冷室２の吹出し口６ｊの近傍に設けている。なお、６ｍは凝縮器ファン、６ｎは蒸発器ファン、６ｐはアキュムレータである。
【００１６】
なお、図２６には冷却装置６の冷却のサイクルについて示している。
また、図４に示すように、ＣＰＵ内蔵のコントローラ４８の入力側には、電源スイッチＳＷ１、運転スイッチＳＷ２、設定温度上げスイッチＳＷ３、設定温度下げスイッチＳＷ４、保温保冷切替スッチＳＷ５、デップスイッチＳＷ６、湿度切替スイッチＳＷ７、防露ヒータ入切スイッチＳＷ８、保温室用温度調節ダイヤル１４、及び、蒸発器温度センサＳＥ１、庫内温度センサＳＥ２を接続している。なお、デップスイッチＳＷ６は設定温度の上限及び下限を設定するスイッチである。
【００１７】
また、コントローラ４８の出力側には、圧縮器６ｂ、凝縮器ファン６ｍ、蒸発器ファン６ｎ、コードヒータ４５及びデジタル表示部４６ａを接続している。
また、図５に示すように、冷却装置６の前面に操作パネル８を設けている。操作パネル８には、右側から左側にかけて冷房運転の開始あるいは停止をする運転スイッチＳＷ２、保冷室２の高湿度運転モードあるいは低湿度運転モードに設定する湿度切替スイッチＳＷ７、設定温度等を表示するデジタル表示部４６ａ、設定温度上げスイッチＳＷ３、設定温度下げスイッチＳＷ４を設けている。
【００１８】
また、その横側方に防露ヒータ（図示省略）の入切用の防露ヒータ入切スイッチＳＷ８を設けている。防露ヒータは保冷室２内及び左右開閉扉３，３の適所に内蔵されていて、防露ヒータ入切スイッチＳＷ８を入切することにより、防露ヒータに通電したり通電を解除することができる。
【００１９】
次に、コントローラ４８の制御内容について説明する。
運転中には蒸発器温度センサＳＥ１及び庫内温度センサＳＥ２がそれぞれ温度を検出し、検出庫内温度が例えば設定温度＋３度Ｃになると、圧縮器６ｂ、凝縮器ファン６ｍ、蒸発器ファン６ｎが作動して冷房運転を開始する。また、検出庫内温度が例えば設定温度−３度Ｃになると、圧縮器６ｂ、凝縮器ファン６ｍの駆動を停止し冷房運転を停止する。
【００２０】
また、湿度切替スイッチＳＷ７が「低湿度」側に切り換えられているときには、圧縮器６ｂが停止すると、蒸発器６ｉが数分後に停止し、湿度切替スイッチＳＷ７が「高湿度」側に切り換えられているときには、蒸発器ファン６ｎは常時回転し、蒸発器６ｉに付着した水分を得て高湿度の空気を保冷室２に送り込み室内を高湿度に保つ。
【００２１】
また、図１及び図２に示すように保冷庫１内には保温室１１を設けている。この保温室１１は外周部を断熱材１３で被覆し、保冷室２の温度とは異なる室内温度に設定できるようにしている。保温室１１は、断熱材１３で覆っている外側箱体１１ａと、この外側箱体１１ａの前面開口部から出し入れできる上面開放の引出型箱体１１ｂとで構成し、引出型箱体１１ｂの前面にも断熱材１３を張付け、保冷室２内の冷気を遮断している。
【００２２】
また、外側箱体１１ａの底板にヒータ１２を埋設し、このヒータ１２を必要に応じてヒータスイッチＳＷ９によりＯＮ／ＯＦＦ可能に構成し、保冷室２の温度から独立して保温室１１の温度を温かく設定できるように構成している。また、引出箱体１１ｂの前面には温度調節ダイヤル１４を設け、ヒータ１２の温度を高低に調節可能にしている。
【００２３】
前記構成によると、夏場は保冷室２の温度を５〜１５度Ｃに保ちながら穀粒袋２１により玄米の保冷保存をし、保温室１１のヒータ１２をＯＦＦにし、保温室１１の温度を保冷室２の冷気を利用して、野菜の保冷保存をする。また、冬場は保冷室２の温度を５〜１５度Ｃに保ちながら玄米の保冷保存をし、保温室１１のヒータ１２をＯＮし、保温室１１の温度を保冷室２から独立した温かい温度に設定し、野菜を保存する。
【００２４】
特に冬場の寒冷地には保冷庫の周囲の外気温度が例えば０℃付近にまで低下すると保冷室２内の温度も設定温度にかかわらず低下する。すると、野菜を保冷室内に収容すると低温障害を受ける場合が生じる。そこで、保温室１１のヒータ１２をＯＮし、外気温度の低下にかかわらず保温室１２内をある程度の温度により保温する。すなわち、温度調節ダイヤル１４により例えば保温室１１の温度を５〜７度Ｃ程度に保つことにより、野菜の低温障害を防止しながら保存することができる。
【００２５】
また、保冷室２の左右一側下部に保温室１１を配置し、この保温室１１の左右幅と前後長さを、穀粒満杯状態の穀粒袋２１の左右幅と前後長さと略同じに構成している。さらに、この保温室１１の高さを穀粒満杯状態の穀粒袋２１の高さと同じかあるいはその整数倍の高さに構成し、その上面を平坦面にし、穀粒袋２１を段積み可能に構成している。
【００２６】
前記構成によると、保温室１１の上部には穀粒袋２１を段積みすることができ、保冷室２左右方向にも保温室１１及び穀粒袋２１を効率的に収納することができる。また、保温室１１は引出式に構成しているので、野菜の出し入れを容易に行なうことができる。
【００２７】
次に、以下図６から図１６にかけて穀粒袋２１の積み込み装置を保冷庫に取り付けた構成について以下説明する。
まず、図６及び図７に基づき保冷庫１の棚１７の移動装置について説明する。
【００２８】
保冷室２の左右両側部には前後一対からなる左右棚案内柱１６，１６を立設し、左右棚案内柱１６，１６に棚１７を上下摺動自在に支持している。保冷室２の左右上部には左右吊り上げローラ１８，１８を設け、左右吊り上げローラ１８，１８に巻き架けたワイヤ１９，１９の一端を棚１７の左右両側部に取り付け、上下モータ２０，２０のプーリにワイヤ１９，１９の他端を取り付け、棚１７を上下動可能に構成している。
【００２９】
前記構成によると、棚１７を下げた状態で穀粒袋２１を積み込み、上下モータ２０，２０により上方へ移動することにより、保冷室２の上部への穀粒袋２１の保管を楽にすることができる。
【００３０】
次に、図８及び図９に基づき保冷庫１の棚１７の移動装置について説明する。
保冷室２の左右両側部に左右支柱ベース２６ａ，２６ａを設け、左右支柱ベース２６ａ，２６ａには、前後一対からなる左右支柱２６，２６の下部を左右方向の軸により支持し、左右支柱２６，２６の上部には上部棚１７を左右方向の軸で枢支し、左右支柱２６，２６を前方に傾斜回動し上部棚１７を前方下方に移動へ移動した状態、あるいは、左右支柱２６，２６を後方に起立回動し上部棚１７を後側上方へ移動した状態に変更できるように構成している。
【００３１】
そして、上部棚１７の後部にワイヤ１９の先端を取り付け、ワイヤ１９の中途部を保冷室２の後側上部のローラ２７に巻き架け、保冷室２の後側下部に配置している上下モータ２０，２０のプーリにワイヤ１９の基端側を連結し、左右支柱２６，２６を前後に回動し、上部棚１７を上下に移動するように構成している。
【００３２】
前記構成によると、左右支柱２６，２６を前方へ傾斜回動し上部棚１７を下げることにより、穀粒袋２１を楽に積み込むことができ、左右支柱２６，２６を後方へ回動して直立状態とすることにより、穀粒袋２１を保冷室２の上部で保管することができる。
【００３３】
次に、図１０及び図１１に基づき保冷庫１の棚１７の移動装置について説明する。
保冷室２の左右両側部には前後一対からなる左右棚案内柱１６，１６を立設し、左右棚案内柱１６，１６に上下複数の棚１７，１７を上下摺動自在に支持している。保冷室２の左右上部には左右吊り上げローラ１８，１８を設け、左右吊り上げローラ１８，１８にワイヤ１９，１９の中間部を巻き架け、ワイヤ１９，１９の一端を上側の棚１７に連結し、ワイヤ１９，１９の他端を下側の棚１７に連結している。
【００３４】
前記構成によると、例えば６個の穀粒袋２１，…を下側の棚１７に積み込み、上側の棚１７に３個の穀粒袋２１，…を積み込み、左右棚案内柱１６，１６に沿って上側の棚１７を持ち上げることにより、下側の棚１７を下方に移動させながら上側の棚１７を楽に上方へ移動することができる。なお、移動後は上側の棚１７をストッパ２２により係止しておく。
【００３５】
次に、図１２及び図１３について説明する。保冷室２の底部にすのこ３１を載置し、すのこ３１の上面をゆるやかな後下がりの傾斜面３１ａに構成している。前記構成によると、すのこ３１の後下がりの傾斜面３１ａに穀粒袋２１を載置することにより、穀粒袋２１が左右開閉扉３３側へ滑り落ちるのを防止し、左右開閉扉３，３の変形を防止することができる。
【００３６】
次に、図１４及び図１５に基づき穀粒袋２１の上下移動装置について説明する。
保冷庫１の天井部左右両側には前後方向に沿った前後スライドレール３３，３３を設け、左右スライドレール３４の左右ローラ３４ａ，３４ａを前後スライドレール３３に嵌合支持し、左右スライドレール３４を前後方向に移動自在に構成している。この左右スライドレール３４には移動体３５のローラ３５ａ，３５ａ嵌合して、移動体３５を左右に移動自在に支持している。この移動体３５には上下モータ２０を取り付け、ワイヤ３６の先端に袋支持装置３７を取り付け、上下モータ２０のプーリにワイヤ３６の基端側を取り付け、上下モータ２０を巻き上げ回転あるいは巻き下げ回転することにより、ワイヤ３６を上下動し、袋支持装置３７を上下動するように構成している。
【００３７】
前記構成によると、ワイヤ３６を巻き戻し袋支持装置３７を下方に移動して穀粒袋２１を載せ、上下モータ２０の巻き上げ回転することによりワイヤ３６を巻き上げ、穀粒袋２１を楽に持ち上げることができる。また、移動体３５を左右スライドレール３４に沿って左右に移動すると共に、左右スライドレール３４を前後スライドレール３３に沿って前後に移動することにより、保冷室２の左右両側及び後方への穀粒袋２１の積み込み作業を楽に行なうことができる。
【００３８】
また、図１６に示すように、左右スライドレール３４に移動体３５をスライド自在に装着するにあたり、移動体３５の下側ローラ３５ａを前後方向の軸３５ａ１により軸支すると共に、左右スライドレール３４側の水平面に沿ったレール３４ｃでローラ３５ａを支持し、また、移動体３５の上側のローラ３５ｂを上下方向の軸３５ｂ１で軸支すると共に、左右スライドレール３４側の上下方向に沿ったレール３４ｄでローラ３５ｂを支持すると、移動体３５の左右移動を円滑に行なうことができる。
【００３９】
以上図６から図１６にかけていくつかの形態の穀粒袋２１の積み込み装置を保冷庫に設けることで、従来人手で穀粒袋２１を多段に段積していたため、重い穀粒袋を持ち上げる重労働を軽減する事ができる。
【００４０】
次に、図１７乃至図１９に基づき保冷庫１の他の実施例について説明する。
保冷室２内の周辺部には保冷する野菜コンテナ４１，…を包み込むようにフレーム４２を配設し、このフレーム４２は左右フレーム４２ａ，４２ｂ、上フレーム４２ｃ及び前後フレーム４２ｄ，４２ｅにより構成している。、これらフレーム４２ａ，４２ｂ，４２ｃ，４２ｄ，４２ｅの外周全面を透湿性のシート４３により覆い、左右シート，上シート，前後シートで野菜コンテナ４１の全外周部を覆っている。そして、ダクト４０の吹出し口６ｊから冷気を吹き出し、透湿性のシート４３により覆われている野菜コンテナ４１、…の周囲に冷気をを循環させ、野菜コンテナ４１に冷気が直接当たらないようにしながら保冷し、シート４３の内部の湿気を透湿性の孔から外部に漏らし、シート４３の内部で結露しないようにしている。
【００４１】
天井のダクト４０の吹出し口６ｊから吹き出した冷気は、上シート４３の上面を左側に向かって流れ、次いで、左シート４３の外側を通って下方に流れ、次いで、底面のすのこ３１に沿って右側に流れ、次いで、右シート４３の外側を通って上方へ流れ、ダクト４０の吸込み口６ｋから冷却装置６に還流する。
【００４２】
なお、シート４３の前シートには左右開閉扉３，３に沿ってファスナを設け開閉可能に構成し、野菜コンテナ４１の出し入れの際にはファスナを外して、野菜コンテナ４１を出し入れする。また、前記フレーム４２ａ，４２ｂ，４２ｃ，４２ｅを珪藻土等の調湿材で構成したり、あるいは、フレームに調湿材を張付けると、調湿材の調湿効果によりシート４３の内部を所定湿度で長期に維持しながら保冷することができる。
【００４３】
前記構成によると、野菜コンテナ４１を透湿性のあるシート４３により覆うことにより、野菜コンテナ４１に冷気が直接当たらないので、野菜の局部的な過剰冷却を防止し、低温障害を防止することができる。また、シート４３は透湿性であるので、シート４３内にエチレンガスや湿気が滞留するようなこともなく、野菜類の鮮度を良好に保持することができる。
【００４４】
また、シート４３を図２０のように構成してもよい。野菜コンテナ４１をシート４３で覆うにあたり、シート４３の開閉扉３に対向する前側だけにはシートを設けず開放状態としておき、シート４３の左右シート，上シート，後シートで野菜コンテナ４１の外周部を覆っている。そして、左右開閉扉３，３の裏面には左右シート及び上シートの前側端部と接触する部位にはマグネット等で接着機能のある接合シート４３ａ，４３ａを設けている。しかして、左右開閉扉３，３の閉鎖時には、接合シート４３ａ，４３ａが左右シート及び上シートの前側端部と接触して、シート４３の前側部を閉鎖し、冷風遮断をするように構成している。
【００４５】
前側のシート４３をファスナにより開閉する構成であると、保冷庫１に野菜類を出し入れする度に、ファスナを開閉する必要があり面倒である。しかし、前記構成によると、保冷室２の前側だけはシート４３を設けず開放した構成とし、左右開閉扉３，３の裏面には接着機能のあるシート４３ａ，４３ａ設け、左右シート４３，４３及び上側シート４３の端部と接着閉鎖することができ、野菜コンテナ４１の出し入れ時の手間を省略しながら、保冷室２で野菜コンテナ４１の鮮度を保持しながら保冷することができる。
【００４６】
次に、図２１乃至図２４に基づき保冷庫１の実施例について説明する。
保冷庫１の上部には冷却装置６を設け、保冷室２内の底板面にコードヒータ４５を板面上全体に配設した保温ユニット板Ｈを設けている。そして、保冷室２の底板上に保温ユニット板Ｈを着脱自在に取り付け、冬場の保冷室２を暖房制御可能な農産物用の保温庫に変換できるように構成している。
【００４７】
保温ユニット板Ｈの着脱構成について説明すると、すのこ３１と保冷室２の底板との間に保温ユニット板３１を設け、保温ユニット板３１は保冷室２内から外にスライドして出し入れできる構成としている。なお、コードヒータ４５には図示しないが電源とカプラ等で着脱できる構成である。
【００４８】
前記構成によると、板状体にコードヒータ４５を取り付けた保温ユニット板Ｈを構成し、保冷庫１の底板面に必要に応じて取り付けることにより、保冷室２の全スペースを保冷用あるいは保温用に変換することができる。なお、４７は保冷庫１の電源コードである。
【００４９】
また、保冷室２の上方に操作部４６を設けている。この操作部４６には、電源スイッチＳＷ１、保温保冷切替スイッチＳＷ２、設定温度上げスイッチＳＷ３、設定温度下げスイッチＳＷ４を設けている。また、右開閉扉３の上面にはデジタル表示部４６ａを設け、温度調整表示、保冷室２内の温度表示及び除霜表示をするように構成している。
【００５０】
保温保冷切替スイッチＳＷ２を「保冷」側に切り換えると、コントローラ４８の指令により、冷却装置６を作動可能にすると共に、コードヒータ４５を作動を停止し、また、「保温」側に切り換えると、冷却装置６を作動不能にすると共に、コードヒータ４５を作動する。また、設定温度上げスイッチＳＷ３及び設定温度下げスイッチＳＷ４の操作により、保冷室２の設定温度を略５度Ｃ〜１５度Ｃに変更することができ、デジタル表示部４６ａにはその設定温度が表示される。
【００５１】
冬期には保冷温度が下がり保冷中の貯蔵物が凍結したり、低温障害により腐敗し損傷したりする不具合が発生することがある。
前記構成によると、夏場には保温保冷切替スイッチＳＷ２を保冷側に切り換え保冷モードになると、コントローラ４８の指令により冷却装置６の圧縮器６ｂ及び蒸発器ファン６ｎをＯＮして冷却運転をする。また、冬場には低温貯蔵を中止し、保温保冷切替スイッチＳＷ２を保温側に切り換え保温モードにすると、設定温度上げスイッチＳＷ３及び設定温度下げスイッチＳＷ４を操作して５度Ｃ〜１５度Ｃの保温運転に切り換える。すると、コントローラ４８の指令により、蒸発器ファン６ｎ及びコードヒータ４５をＯＮにし、保温運転を行なうことがでる。
【００５２】
保温運転中には、天井部のダクト４０の吹出し口６ｊから吹き出した循環風は、図２１において、段積みされている野菜コンテナ４１の上面を通って左側に流れ、次いで、野菜コンテナ４１の左外側を通って下方に流れ、次いで、底板のすのこ３１に沿って右側に流れる。このときに、コードヒータ４５により循環風が温められ、温められた循環風は野菜コンテナ４１の右外側を通って上方へ流れ、ダクト４０の吸込み口６ｋから冷却停止中の冷却装置６に還流し、蒸発器ファン６ｎの回転により同様の循環が繰り返され、野菜コンテナ４１は保温保存される。
【００５３】
また、保冷モードでは、運転中に蒸発器温度センサＳＥ１及び庫内温度センサＳＥ２によりそれぞれ温度を検出し、検出庫内温度が例えば「設定温度＋α」になると、圧縮器６ｂ、凝縮器ファン６ｍ、蒸発器ファン６ｎが作動し冷房運転を開始し、また、検出庫内温度が例えば「設定温度−α」になると、圧縮器６ｂ、凝縮器ファン６ｍの駆動を停止し冷房運転を停止する。
【００５４】
また、保温モードでは、運転中に前記蒸発器温度センサＳＥ１及び庫内温度センサＳＥ２がそれぞれ温度を検出し、検出庫内温度が例えば「設定温度＋α」になると、コードヒータ４５及び蒸発器ファン６ｎをＯＦＦにし暖房運転を停止し、また、検出庫内温度が例えば「設定温度−α」になると、コードヒータ４５及び蒸発器ファン６ｎをＯＮにし暖房運転を開始する。
【００５５】
前記構成によると、冬場ではコードヒータ４５で循環風を暖房しながら循環させて野菜コンテナ４１，…を間接的に暖房するので、野菜コンテナ４１，…内を定温定湿に維持し、野菜の過剰乾燥を防止しながら保温貯蔵することができる。
【００５６】
次に、図２５について説明する。
保冷庫１の冷気循環経路におけるダクト４０の吸込み口６ｋの下方にフィルタ５５を着脱自在に取り付け、フィルタ５５により循環空気の塵埃類を除去するように構成している。なお、フィルタ５５を揺動自在に取り付け、付着した塵埃類をフィルタ５５の振動により除去するようにしてもよい。
【００５７】
また、フィルタ５５の下手側には例えば風量センサ等の詰まり検出手段５６を設け、詰まり検出手段５６が基準値以上の詰まりを検出すると、コントローラの指令によりブザー等の警報手段が作動するように構成している。
【００５８】
前記構成によると、冷却装置６の蒸発器６ｉへの塵埃類の付着を防止することができる。蒸発器６ｉに塵埃類が付着すると、塵埃類がドレン水に混入し、ドレンが詰まるという不具合が発生するが、このような不具合を防止することできる。また、フィルタ５５が詰まると、警報手段が作動するので、フィルタ５５の目詰り知ることができ、フィルタ５５の目詰りを防止し、冷却不良を防止することができる。
【図面の簡単な説明】
【００５９】
【図１】保冷庫の開放状態を示す正面図。
【図２】保冷庫の切断側面図。
【図３】冷却装置の平面図。
【図４】制御ブロック図。
【図５】操作部の正面図。
【図６】保冷庫の一部省略した正面図。
【図７】保冷庫の一部省略した側面図。
【図８】保冷庫の一部省略した正面図。
【図９】保冷庫の一部省略した側面図。
【図１０】保冷庫の一部省略した正面図。
【図１１】保冷庫の一部省略した側面図。
【図１２】保冷庫の一部省略した側面図。
【図１３】保冷庫の正面図。
【図１４】保冷庫の一部省略した正面図。
【図１５】保冷庫の切断側面図。
【図１６】保冷庫の上部の側面図。
【図１７】保冷庫の左右開閉扉を開放した正面図。
【図１８】保冷庫の切断側面図。
【図１９】保冷庫の切断平面図。
【図２０】（Ａ）保冷庫の上部の正面図。
【００６０】
（Ｂ）保冷庫の切断平面図。
【図２１】保冷庫の正面図。
【図２２】保冷庫の側面図。
【図２３】保冷庫の底面図。
【図２４】保冷庫の正面図。
【図２５】保温ユニットを示す平面図
【図２６】保冷庫の冷却サイクルを示す図
【符号の説明】
【００６１】
１      保冷庫
２      保冷室
３      開閉扉
６      冷却装置
１１      保温室
１１ａ    外側箱体
１１ｂ    引出型箱体
１２      保温装置
２１      穀粒袋
【図１】
2010107158.tif 000003
【図２】
2010107158.tif 000004
【図３】
2010107158.tif 000005
【図４】
2010107158.tif 000006
【図５】
2010107158.tif 000007
【図６】
2010107158.tif 000008
【図７】
2010107158.tif 000009
【図８】
2010107158.tif 000010
【図９】
2010107158.tif 000011
【図１０】
2010107158.tif 000012
【図１１】
2010107158.tif 000013
【図１２】
2010107158.tif 000014
【図１３】
2010107158.tif 000015
【図１４】
2010107158.tif 000016
【図１５】
2010107158.tif 000017
【図１６】
2010107158.tif 000018
【図１７】
2010107158.tif 000019
【図１８】
2010107158.tif 000020
【図１９】
2010107158.tif 000021
【図２０】
2010107158.tif 000022
【図２１】
2010107158.tif 000023
【図２２】
2010107158.tif 000024
【図２３】
2010107158.tif 000025
【図２４】
2010107158.tif 000026
【図２５】
2010107158.tif 000027
【図２６】
2010107158.tif 000028